(57)【要約】【課題】冷熱のみならず温熱によっても食品を貯蔵することができるようにする。【解決手段】第１バルブ３０及び第４バルブ３３を開き、第２バルブ３１及び第３バルブ３２を閉じ、第１膨張弁２２及び第２膨張弁２３は冷媒を通過させ、第３膨張弁２５は冷媒を膨張させる。そして、圧縮機２０からの冷媒は分岐点Ｐ１で分流して冷媒Ａと冷媒Ｂに分流し、冷媒Ａは第４バルブ３３を通過して第１熱交換器２４に流入して温冷熱室１２の庫内空気と熱交換させて加熱し、第２膨張弁２３を通過して分岐点Ｐ３に到る。一方、冷媒Ｂは第１バルブ３０を通過して第３熱交換器２１に流入し、この第３熱交換器２１で庫外空気と熱交換して放熱し、第１膨張弁２２を通過して分岐点Ｐ３に到る。その後冷媒Ａと冷媒Ｂは分岐点Ｐ３で合流し、第３膨張弁２５で膨張して第２熱交換器２６に流入する。【選択図】      図１
2004278977.tif 000002
【特許請求の範囲】
【請求項１】
冷媒を圧縮する圧縮手段と、冷媒を膨張させる膨張手段と、冷媒と筐体内の庫内空気とを熱交換させる熱交換手段とを有する冷凍回路を備えた温冷貯蔵庫において、
ユーザの要求に応じて前記冷媒の流路を切換える流路切換手段を備えて、前記熱交換手段により前記冷媒が庫内空気と熱交換した際に、該庫内空気を加熱又は冷却させるようにしたことを特徴とする温冷貯蔵庫。
【請求項２】
前記冷媒が、二酸化炭素冷媒であることを特徴とする請求項１記載の温冷貯蔵庫。
【請求項３】
前記筐体内を加熱又は冷却が行われる温冷熱室と冷却が行われる冷熱室とに区画する仕切壁を備え、前記熱交換手段が前記温冷熱室の庫内空気と熱交換して、ユーザの要求に応じて当該庫内空気を加熱又は冷却する第１熱交換器と、前記冷熱室の庫内空気と熱交換して、ユーザの要求に応じて当該庫内空気を冷却する第２熱交換器とを備えることを特徴とする請求項１又は２記載の温冷貯蔵庫。
【請求項４】
前記冷媒が、第１熱交換器、第２熱交換器を直列に流動することを特徴とする請求項３記載の温冷貯蔵庫。
【請求項５】
前記熱交換手段が、庫外空気と熱交換する第３熱交換器を備えて、
前記圧縮手段からの冷媒が、前記第１熱交換器を流動した後に分流して、一方の冷媒は前記第２熱交換器に流動し、他方の冷媒は前記第３熱交換器に流動し、
または前記圧縮手段からの冷媒が、前記第３熱交換器を流動した後に分流して、一方の冷媒は前記第１熱交換器に流動し、他方の冷媒は前記第２熱交換器に流動して、
その後これら分流した前記冷媒が合流して前記圧縮手段に戻るようにしたことを特徴とする請求項３記載の温冷貯蔵庫。
【請求項６】
前記熱交換手段が、庫外空気と熱交換する第３熱交換器を備えて、前記圧縮手段からの前記冷媒が前記第３熱交換器，第１熱交換器，第２熱交換器を直列に流動して当該圧縮手段に戻るようにしたことを特徴とする３記載の温冷貯蔵庫。
【請求項７】
前記熱交換手段が、庫外空気と熱交換する第３熱交換器を備えて、前記圧縮手段からの前記冷媒が前記第１熱交換器と前記第３熱交換器とを直列に流動し、又は前記第２熱交換器と前記第３熱交換器とを直列に流動して当該圧縮手段に戻るようにしたことを特徴とする３記載の温冷貯蔵庫。
【発明の詳細な説明】
【０００１】
【発明の属する技術分野】
本発明は、ユーザの要求に応じて加熱又は冷却ができるようにした温冷貯蔵庫に関する。
【０００２】
【従来の技術】
一般に、食品等（以下、単に食品と記載する）の貯蔵には冷蔵庫（冷凍冷蔵庫を含む）が用いられ、今日の冷蔵庫には冷蔵室、冷凍室、野菜室等の複数の温度帯域の異なる部屋が設けられている（特許文献１参照）。
【０００３】
そして、冷蔵室は５℃、野菜室は１５℃、冷凍室は−１８℃等のように、それぞれ貯蔵する食品の種類等に応じて使い分けるようになっている。
【０００４】
【特許文献１】
特開２００２−２２８３４９号公報
【０００５】
【発明が解決しようとする課題】
しかしながら、近年冷熱による保存のみならず、温熱による保存の要望があるが、これまでの冷蔵庫は冷熱による保存を目的としているためかかる要望に応えることができない問題があった。
【０００６】
例えば、一般家庭で父親の帰宅時間が他の家族より遅い場合が多々ある。このような場合には、夕食を作るときには父親の分も一緒に作るため、父親が帰宅して食べる頃には冷えてしまい、温め直す必要が生じるが、このような温め直しは面倒であると共に、多くのエネルギーの無駄が発生する。
【０００７】
そこで、本発明は、冷熱のみならず温熱によっても食品を貯蔵することができるようにして利便性及び経済性を向上させた温冷貯蔵庫を提供することを目的とする。
【０００８】
【課題を解決するための手段】
上記課題を解決するため、請求項１にかかる発明は、冷媒を圧縮する圧縮手段と、冷媒を膨張させる膨張手段と、冷媒と筐体内の庫内空気とを熱交換させる熱交換手段とを有する冷凍回路を備えた温冷貯蔵庫において、ユーザの要求に応じて冷媒の流路を切換える流路切換手段を備えて、熱交換手段により冷媒が庫内空気と熱交換した際に、該庫内空気を加熱又は冷却させるようにして、冷熱のみならず温熱によっても食品を貯蔵することができるようにして利便性及び経済性を向上させたことを特徴とする。
【０００９】
請求項２にかかる発明は、冷媒が、二酸化炭素冷媒であることを特徴とする。
【００１０】
請求項３にかかる発明は、筐体内を加熱又は冷却が行われる温冷熱室と冷却が行われる冷熱室とに区画する仕切壁を備え、熱交換手段が温冷熱室の庫内空気と熱交換して、ユーザの要求に応じて当該庫内空気を加熱又は冷却する第１熱交換器と、冷熱室の庫内空気と熱交換して、ユーザの要求に応じて当該庫内空気を冷却する第２熱交換器とを備えることを特徴とする。
【００１１】
請求項４にかかる発明は、冷媒が、第１熱交換器、第２熱交換器を直列に流動することを特徴とする。
【００１２】
請求項５にかかる発明は、熱交換手段が、庫外空気と熱交換する第３熱交換器を備えて、圧縮手段からの冷媒が、第１熱交換器を流動した後に分流して、一方の冷媒は第２熱交換器に流動し、他方の冷媒は第３熱交換器に流動し、または圧縮手段からの冷媒が、第３熱交換器を流動した後に分流して、一方の冷媒は第１熱交換器に流動し、他方の冷媒は第２熱交換器に流動して、その後これら分流した冷媒が合流して圧縮手段に戻るようにしたことを特徴とする。
【００１３】
請求項６にかかる発明は、熱交換手段が、庫外空気と熱交換する第３熱交換器を備えて、圧縮手段からの冷媒が第３熱交換器，第１熱交換器，第２熱交換器を直列に流動して当該圧縮手段に戻るようにしたことを特徴とする。
【００１４】
請求項７にかかる発明は、熱交換手段が、庫外空気と熱交換する第３熱交換器を備えて、圧縮手段からの冷媒が第１熱交換器と第３熱交換器とを直列に流動し、又は第２熱交換器と第３熱交換器とを直列に流動して当該圧縮手段に戻るようにしたことを特徴とする。
【００１５】
【発明の実施の形態】
本発明の第１の実施の形態を図を参照して説明する。図１〜図６は温冷貯蔵庫の概略構成を示す図で、当該温冷貯蔵庫の筐体は、鉄板の金属からなる外箱２とＡＢＳ等の合成樹脂からなる内箱４とが発泡ポリウレタン等の発泡断熱材３を挟んで一体に形成されている。
【００１６】
そして、筐体の内部空間には、発泡ポリウレタン等の発泡断熱材３により形成された仕切壁５，６が設けられて、マルチルーム８、冷蔵室９、冷凍室１０、野菜室１１等の複数の部屋が区画されて形成されている。
【００１７】
冷蔵室９は、例えば５℃のような凍らない温度で食品を保存することを目的とした部屋であり、冷凍室１０は、例えば−１８℃のような凍る温度でアイスクリームや冷凍食品を保存することを目的とした部屋であり、野菜室１１は例えば１５℃のように室温より適宜低い温度で果物や野菜等を保存することを目的とした部屋である。
【００１８】
一方、マルチルーム８は、ユーザの設定した温度で食品を保存することを目的とした部屋で、その温度帯域は−１８℃〜６５℃の広い範囲に設定することが可能になっている。
【００１９】
なお、図１等に示すマルチルーム８は最上段の部屋となっている。このため、汁物のような食品を保存する際に零れたりし易いことが危惧される。
【００２０】
このような場合には、中段位置（例えば、床から約１００ｃｍ程度の位置）に設けることが好ましい。このような位置にマルチルームを設置することにより、汁物等の食品が零れないように目で確認しながら出し入れできるようになり利便性が向上する。
【００２１】
冷蔵室９と冷凍室１０を仕切る仕切壁６、冷凍室１０と野菜室１１とを仕切る仕切壁６にはシャッタ７が設けられ、冷蔵室９，冷凍室１０，野菜室１１の空気が当該シャッタ７を介して相互に行き来できるようになっている。
【００２２】
無論、シャッタ７を仕切壁６に設けなくても、例えば背面側の内箱４と外箱２との間にダクトを設ける等により空気の行き来ができるようにしてもよい。
【００２３】
このように冷蔵室９，冷凍室１０，野菜室１１等の各部屋の庫内空気が相互に行き来できるのに対し、マルチルーム８の庫内空気は他の部屋の庫内空気と相互に行き来できるようには形成されておらず、独立した部屋となっている。
【００２４】
そこで、本明細書では、マルチルーム８を温冷熱室１２と記載し、これに対する冷蔵室９，冷凍室１０，野菜室１１等の各部屋を総称して冷熱室１３と適宜記載する。
【００２５】
このような温冷貯蔵庫には、冷凍回路が設けられ、この冷凍回路は冷媒を圧縮する圧縮機２０、冷媒と温冷熱室１２の庫内空気とを熱交換させる第１熱交換器２４、冷媒と冷熱室１３の庫内空気とを熱交換させる第２熱交換器２６、冷媒と庫外空気とを熱交換させる第３熱交換器２１、冷媒を膨張させる第１〜第３膨張弁２１，２３，２５、冷媒の流路を切替える第１〜第４バルブ３０，３１，３２，３４等を有している。
【００２６】
そして、ユーザの要望に応じて図１〜図６に示すように冷媒の流動路を切替えることにより、温冷熱室１２を加熱又は冷却し、また冷熱室１３を冷却する運転モードが選択できるようになっている。
【００２７】
なお、図１〜図６において、太線は冷媒が流動する配管を示している。また、図中（Ｈ）は、該当する熱交換器により庫内空気が加熱されている場合を示し、（Ｃ）は該当する熱交換器により庫内空気が冷却されている場合を示している。従って、（Ｈ）も（Ｃ）も記載されていない熱交換器は、熱交換作用を行っていないことを示している。
【００２８】
さらに、図中の矢印は冷媒の流動路を示しており、ユーザの要望に応じて第１〜第３膨張弁２１，２３，２５は冷媒をそのまま通過させる状態（回路開）、冷媒を膨張させる状態（膨張）、冷媒を通過させない状態（回路閉）のいずれかに制御される。同様に、第１〜第４バルブ３０，３１，３２，３４は冷媒をそのまま通過させる状態（回路開）、冷媒を通過させない状態（回路閉）のいずれかに制御される。
【００２９】
本実施の形態においては、冷媒として二酸化炭素冷媒を例に説明するが、本発明はこれに限定されるものではなく、ＨＦＣ等の種々の冷媒も適用できることは言うまでもない。
【００３０】
先に、温冷熱室１２の温度帯域を−１８℃〜６５℃の範囲に設定できるとしたが、かかる温度帯域は二酸化炭素冷媒を用いたときに可能になる温度帯域で、ＨＦＣ等の従来用いられている冷媒の場合は、約５５℃が限度である。従って、高い温度での保存を望むような場合には、二酸化炭素冷媒にすることが必要となる。
【００３１】
図１に示す運転モードは、小熱量で温冷熱室１２を加熱し、大熱量で冷熱室１３を冷却するモードである。図２に示す運転モードは、小熱量で温冷熱室１２を冷却し、小熱量で冷熱室１３を冷却するモードである。図３に示す運転モードは、大熱量で温冷熱室１２を加熱し、小熱量で冷熱室１３を冷却するモードである。図４に示す運転モードは、大熱量で温冷熱室１２を加熱し、大熱量で冷熱室１３を冷却するモードである。図５に示す運転モードは、温冷熱室１２は冷加熱を行わず、大熱量で冷熱室１３を冷却するモードである。図６に示す運転モードは、大熱量で温冷熱室１２を加熱し、冷熱室１３の冷却を行わないモードである。
【００３２】
なお、大熱量とは、圧縮機２０からの供給された全ての冷媒により加熱又は冷却される場合の熱量であり、小熱量とは、圧縮機２０からの供給された冷媒の一部により加熱又は冷却される場合の熱量をいう。
【００３３】
このような運転モードの作用効果を順に説明する。図１に示す運転モードは、第１バルブ３０及び第４バルブ３３を開き、第２バルブ３１及び第３バルブ３２を閉じる。また、第１膨張弁２２及び第２膨張弁２３は冷媒が通過できるようにし（回路開）、第３膨張弁２５は冷媒を膨張させるように作用させる。
【００３４】
これにより、圧縮機２０から吐出された冷媒Ａ＋Ｂは、分岐点Ｐ１で分流して冷媒Ａと冷媒Ｂに分れる。この冷媒Ａは、第４バルブ３３を通過して第１熱交換器２４に流入し、当該第１熱交換器２４で温冷熱室１２の庫内空気と熱交換して、当該庫内空気を加熱して第２膨張弁２３を通過して分岐点Ｐ３に到る。
【００３５】
一方、冷媒Ｂは第１バルブ３０を通過して第３熱交換器２１に流入し、この第３熱交換器２１で庫外空気と熱交換して放熱し、第１膨張弁２２を通過して分岐点Ｐ３に到る。
【００３６】
そして、冷媒Ａと冷媒Ｂとは分岐点Ｐ３で合流し、第３膨張弁２５で膨張作用を受け膨張して第２熱交換器２６に流入する。これにより冷熱室１３の庫内空気が冷却されて、冷媒Ａ＋Ｂは圧縮機２０に戻る。
【００３７】
このように、分岐点Ｐ１で分流した冷媒Ａのみが、温冷熱室１２に供給されるので、当該温冷熱室１２の加熱は小熱量による加熱となり、冷熱室１３には全ての冷媒が供給されるため、大熱量による冷却が行われる。
【００３８】
従って、この運転モードは、例えば食品を温冷熱室１２に貯蔵してから時間が経過して当該食品温度が庫内温度に達したときのように、食品と温冷熱室１２の庫内温度の温度差が少なくなったような場合に適したモードである。
【００３９】
次に、図２に示す運転モードは、第１バルブ３０及び第３バルブ３２を開き、第２バルブ３１及び第４バルブ３３を閉じ、また第１膨張弁２２は冷媒が通過できるようにし（回路開）、第２膨張弁２３及び第３膨張弁２５は冷媒を膨張させるように作用させることにより運転される。
【００４０】
これにより、圧縮機２０から吐出された冷媒Ｃ＋Ｄは、分岐点Ｐ１を通過し、第３熱交換器２１に供給されて庫外空気と熱交換して放熱する。その後、冷媒Ｃ＋Ｄは第１膨張弁２２を通過し、分岐点Ｐ３に至り、ここで冷媒Ｃと冷媒Ｄに分流する。
【００４１】
冷媒Ｃは、第３膨張弁２５で膨張作用を受けて膨張し、第２熱交換器２６に流入して冷熱室１３の庫内空気と熱交換することにより当該庫内空気を冷却して分岐点Ｐ４に到る。
【００４２】
一方、冷媒Ｄは、第２膨張弁２３により膨張作用を受けて膨張し、第１熱交換器２４に流入して温冷熱室１２の庫内空気と熱交換することにより該庫内空気を冷却して第３バルブ３２を経て分岐点Ｐ４に到る。
【００４３】
そして、分岐点Ｐ４で冷媒Ｃと冷媒Ｄとが合流して圧縮機２０へと戻る。
【００４４】
このように、圧縮機２０からの冷媒が分流して温冷熱室１２及び冷熱室１３に供給され、その際友の膨張作用を受けるため、温冷熱室１２及び冷熱室１３は小熱量による冷却が行われる。
【００４５】
従って、この運転モードは、例えば温冷熱室１２や冷熱室１３の食品を冷却して保存するような場合に適したモードである。
【００４６】
次に、図３に示す運転モードは、第２バルブ３１及び第４バルブ３３を開き、第１バルブ３０及び第３バルブ３２を閉じ、また第２膨張弁２３は冷媒が通過できるようにし（回路開）、第１膨張弁２２及び第３膨張弁２５は冷媒を膨張させるように作用させることにより運転される。
【００４７】
これにより、圧縮機２０から吐出された冷媒Ｅ＋Ｆは、分岐点Ｐ１で流路が変り、第４バルブ３３を通過して第１熱交換器２４に供給されて温冷熱室１２の庫外空気と熱交換して、当該庫外空気を加熱する。
【００４８】
その後、冷媒Ｅ＋Ｆは第２膨張弁２３を通過し、分岐点Ｐ３に至り、ここで冷媒Ｅと冷媒Ｆに分流する。
【００４９】
冷媒Ｅは、第３膨張弁２５で膨張作用を受けて膨張し、第２熱交換器２６に流入して冷熱室１３の庫内空気と熱交換することにより当該庫内空気を冷却して分岐点Ｐ４を経て分岐点Ｐ５に到る。
【００５０】
一方、冷媒Ｆは、第１膨張弁２２により膨張作用を受けて膨張し、第１熱交換器２４に流入して庫外空気と熱交換して分岐点Ｐ２、第２バルブ３１を経て分岐点Ｐ５に到る。
【００５１】
そして、分岐点Ｐ５で冷媒Ｅと冷媒Ｆとが合流して圧縮機２０へと戻る。
【００５２】
このように、圧縮機２０からの全ての冷媒が温冷熱室１２の加熱に用いられ、その後分流して一部の冷媒のみが冷熱室１３に供給されるので、温冷熱室１２は大熱量による加熱が行われ、また冷熱室１３は小熱量による冷却が行われる。
【００５３】
従って、この運転モードは、例えば温冷熱室１２の庫内空気とこの部屋に貯蔵された食品との温度差が大きいが、冷熱室１３の庫内空気とこの部屋に貯蔵された食品との温度差が小さいときに適したモードである。
【００５４】
次に、図４に示す運転モードは、第３バルブ３２を開き、第１バルブ３０，第２バルブ３１及び第３バルブ３２を閉じ、また第１膨張弁２２及び第２膨張弁２３は冷媒が通過できるようにし（回路開）、第３膨張弁２５は冷媒を膨張させるように作用させることにより運転される。
【００５５】
これにより、圧縮機２０から吐出された冷媒は、分岐点Ｐ１で流路が変り、第４バルブ３３を通過して第１熱交換器２４に供給されて温冷熱室１２の庫内空気と熱交換して、該庫内空気を加熱する。
【００５６】
その後、冷媒は第２膨張弁２３を通過し分岐点Ｐ３で流路を変え、第３膨張弁２５で膨張作用を受けて第２熱交換器２６で冷熱室１３の庫内空気と熱交換して該庫内空気を冷却して、分岐点Ｐ４を経て圧縮機２０に戻る。
【００５７】
このように、温冷熱室１２で大熱量による加熱が行われ、冷熱室１３で大熱量による冷却が行われる。
【００５８】
従って、例えば温冷熱室１２及び冷熱室１３におけるそれぞれの庫内空気とこれらの部屋に貯蔵された食品との温度差が大きいときに適したモードである。
【００５９】
次に、図５に示す運転モードは、第１バルブ３０を開き、第２バルブ３１，第３バルブ３２及び第４バルブ３３を閉じ、また第１膨張弁２２は冷媒が通過できるようにし（回路開）、第２膨張弁２３及び第３膨張弁２５は冷媒を膨張させるように作用させることにより運転される。
【００６０】
これにより、圧縮機２０から吐出された冷媒は、分岐点Ｐ１及び第１バルブ３０を通過し、第３熱交換器２１に供給されて庫外空気と熱交換して放熱する。
【００６１】
その後、冷媒は分岐点Ｐ３で流路を変えて第３膨張弁２５で膨張作用を受けて第２熱交換器２６に流入する。そして、この第２熱交換器２６で冷熱室１３の庫内空気と熱交換して、当該庫内空気を冷却し分岐点Ｐ４及び分岐点Ｐ５を経て圧縮機２０に戻る。
【００６２】
この場合には、第１熱交換器２４に冷媒が流動しないため、温冷熱室１２は加熱や冷却が行われなくなり、冷熱室１３のみが大熱量で冷却されるようになる。
【００６３】
従って、この運転モードは温冷熱室１２に食品が貯蔵されていないような場合に適した運転モードである。
【００６４】
最後に、図６に示す運転モードは、第２バルブ３１及び第４バルブ３３をを開き、第１バルブ３０及び第３バルブ３２を閉じ、また第１膨張弁２２は冷媒を膨張させるように作用させ、第２膨張弁２３は冷媒が通過できるように作用させ（回路開）、第３膨張弁２５は冷媒が通過できないように作用させる（回路閉）ことにより運転される。
【００６５】
これにより、圧縮機２０から吐出された冷媒は、分岐点Ｐ１で流路を変えて第４バルブ３３を経て第１熱交換器２４に供給されて温冷熱室１２の庫内空気と熱交換して、該庫内空気を加熱する。
【００６６】
その後、冷媒は第２膨張弁２３を通過し分岐点Ｐ３を経て第１膨張弁２２で膨張作用を受けて第３熱交換器２１に流入する。そして、この第３熱交換器２１で庫外空気と熱交換して加熱し分岐点Ｐ２及び第２バルブ３１を経て圧縮機２０に戻る。
【００６７】
この場合には、第２熱交換器２６に冷媒が流動しないため、冷熱室１３は冷却が行われなくなり、温冷熱室１２のみが大熱量で加熱されるようになる。
【００６８】
従って、この運転モードは冷熱室１３に食品が貯蔵されていないような場合に適した運転モードである。
【００６９】
以上説明したように、ユーザの要望に応じて冷媒の流動路を切換えることにより運転モードが切換えられて、温冷熱室１２及び冷熱室１３を加熱及び冷却することが可能になり、かつ、そのときの熱量が調整できるようになるため、食品の冷熱保存のみならず温熱保存も可能になり利便性が向上すると共に経済性が向上する。
【００７０】
次に、本発明の第２の実施の形態を図７〜図１１を参照して説明する。なお、先に説明した第１の実施の形態と同一構成に関しては同一符号を用いて説明を適宜省略する。
【００７１】
第１の実施の形態では、基本的に冷媒が第１熱交換器２４，第２熱交換器２６，第３熱交換器２１を並列に流れて種々の運転モードを行うようようにしている。
【００７２】
これに対し、本実施の形態では、基本的に冷媒が第１熱交換器２４，第２熱交換器２６，第３熱交換器２１を直列に流れることで種々の運転モードを行うようようにしたものである。
【００７３】
図７に示す運転モードは、温冷熱室１２を小熱量で加熱し、冷熱室１３を大熱量で冷却するモードである。図８に示す運転モードは、温冷熱室１２を大熱量で冷却し、冷熱室１３を大熱量で冷却するモードである。図９に示す運転モードは、温冷熱室１２を加冷却せず、冷熱室１３を大熱量で冷却するモードである。図１０に示す運転モードは、温冷熱室１２を大熱量で加熱し、冷熱室１３を大熱量で冷却するモードである。図１１に示す運転モードは、温冷熱室１２を大熱量で加熱し、冷熱室１３を冷却しないモードである。
【００７４】
以下、このような運転モードの作用効果を順に説明する。図７に示す運転モードは、第２バルブ３１を開き、第１バルブ３０，第３バルブ３２及び第４バルブ３３を閉じ、また第１膨張弁２２は膨張作用を行わないようにし（回路を開き、冷媒を通過させる）、第２膨張弁２３は冷媒を膨張させるように作用させて運転する。
【００７５】
これにより、圧縮機２０から吐出された冷媒は、分岐点Ｐ１を通過して第３熱交換器２１で庫外空気と熱交換して放熱し、第２バルブ３１及び第１膨張弁２２を通過して第１熱交換器２４に流入する。
【００７６】
この第１熱交換器２４で温冷熱室１２の庫内空気と熱交換して、当該庫内空気を加熱し、第２膨張弁２３で膨張作用を受けて第２熱交換器２６に流入する。
【００７７】
第２熱交換器２６では、冷熱室１３の庫内空気と熱交換して、当該庫内空気を冷却し、分岐点Ｐ６を経て圧縮機２０に戻る。
【００７８】
このように圧縮機２０からの冷媒は、途中で分岐することなく第３熱交換器２１，第１熱交換器２４，第２熱交換器２６と順次循環するように流れ、第３熱交換器２１及び第１熱交換器２４で放熱するため、第１熱交換器２４では小熱量により温冷熱室１２が加熱され、第２熱交換器２６では大熱量による冷熱室１３の冷却が行われる。
【００７９】
図８に示す運転モードは、第２バルブ３１を開き、第１バルブ３０，第３バルブ３２及び第４バルブ３３を閉じ、また第１膨張弁２２は冷媒を膨張させるように作用させ、第２膨張弁２３は膨張作用を行わないように作用（回路開）させて運転される。
【００８０】
これにより、圧縮機２０から吐出された冷媒は、分岐点Ｐ１を通過して第３熱交換器２１で庫外空気と熱交換して放熱し、第２バルブ３１を経て第１膨張弁２２に流入し、この第１膨張弁２２で膨張作用を受けて第１熱交換器２４に供給される。
【００８１】
そして、第１熱交換器２４で温冷熱室１２の庫内空気と熱交換して、当該庫内空気を冷却し、第２膨張弁２３を通過して第２熱交換器２６に流入する。
【００８２】
この第２熱交換器２６では冷熱室１３の庫内空気とさらに熱交換して、当該庫内空気を冷却して分岐点Ｐ６を経て圧縮機２０に戻る。
【００８３】
このように圧縮機２０からの冷媒は、途中で分岐することなく、第３熱交換器２１，第１熱交換器２４，第２熱交換器２６と順次循環するように流れ、第３熱交換器２１で放熱するため、第１熱交換器２４及び第２熱交換器２６では大熱量により温冷熱室１２及び冷熱室１３の冷却が行われる。
【００８４】
図９に示す運転モードは、第２バルブ３１及び第３バルブ３２を開き、第１バルブ３０及び第４バルブ３３を閉じ、また第１膨張弁２２は冷媒を通過させない（回路閉）ようにし、第２膨張弁２３は膨張作用を行わうように作用させて運転される。
【００８５】
これにより、圧縮機２０から吐出された冷媒は、分岐点Ｐ１を通過して第３熱交換器２１で庫外空気と熱交換して放熱し、分岐点Ｐ３で流路を変えて第３バルブ３２を通過して第２膨張弁２３で膨張作用を受ける。
【００８６】
その後冷媒は第２熱交換器２６に流入し、この第２熱交換器２６で冷熱室１３の庫内空気と熱交換して、当該庫内空気を冷却して分岐点Ｐ６を経て圧縮機２０に戻る。
【００８７】
このように、冷媒は途中で分岐することなく、第３熱交換器２１，第２熱交換器２６と順次循環するように流れ、第３熱交換器２１で放熱するため、温冷熱室１２での加熱又は冷却は行われず、冷熱室１３で大熱量による冷却が行われる。
【００８８】
図１０に示す運転モードは、第１バルブ３０を開き、第２バルブ３１，第３バルブ３２及び第４バルブ３３を閉じ、また第１膨張弁２２は冷媒を通過させるようにし（回路開）、第２膨張弁２３は膨張作用を行うように作用させて運転される。
【００８９】
これにより、圧縮機２０から吐出された冷媒は、分岐点Ｐ１で流路を変えて第１バルブ３０及び第１膨張弁２２を通過して第１熱交換器２４に流入する。
【００９０】
そして冷媒は、この第１熱交換器２４で温冷熱室１２の庫内空気と熱交換し該庫内空気を加熱して第２膨張弁２３により膨張作用を受ける。
【００９１】
その後、冷媒は第２熱交換器２６で冷熱室１３の庫内空気と熱交換して、該庫内空気を冷却し分岐点Ｐ６を経て圧縮機２０に戻る。
【００９２】
このように、冷媒は途中で分岐することなく、第１熱交換器２４，第２熱交換器２６と順次循環するように流れ、温冷熱室１２で大熱量による加熱が行われ、冷熱室１３で大熱量による冷却が行われる。
【００９３】
図１１に示す運転モードは、第２バルブ３１及び第４バルブ３３を開き、第１バルブ３０及び第３バルブ３２を閉じ、かつ、第１膨張弁２２は冷媒を膨張作用を行うように作用させ、第２膨張弁２３は冷媒を通過させないように作用（回路開）させて運転される。
【００９４】
これにより、圧縮機２０から吐出された冷媒は、第３熱交換器２１で庫外空気と熱交換し第２バルブ３１を通過して第１膨張弁２２で膨張作用を受けて第１熱交換器２４に流入する。
【００９５】
そして、冷媒は第１熱交換器２４で温冷熱室１２の庫内空気と熱交換して、該庫内空気を冷却して第４バルブ３３を経て圧縮機２０に戻る。
【００９６】
このように、冷媒は途中で分岐することなく、第３熱交換器２１，第１熱交換器２４と順次循環するように流れ、温冷熱室１２で大熱量による冷却が行われ、冷熱室１３では加熱、冷却が行われない。
【００９７】
以上説明したように、ユーザの要望に応じて冷媒の流動路を切換えることにより運転モードが切換えられて、温冷熱室１２及び冷熱室１３を加熱及び冷却することが可能になり、かつ、そのときの熱量が調整できるようになるため、食品の冷熱保存のみならず温熱保存も可能になり利便性が向上すると共に経済性が向上する。
【００９８】
【発明の効果】
以上説明したように、本発明によれば、ユーザの要望に応じて冷媒の流動路を切換えることにより運転モードが切換えられて、温冷熱室及び冷熱室を加熱及び冷却することが可能になり、かつ、そのときの熱量が調整できるようになるため、食品の冷熱保存のみならず温熱保存も可能になり利便性が向上すると共に経済性が向上する。
【図面の簡単な説明】
【図１】本発明の第１の実施の形態の説明に適用される、小熱量で温冷熱室を加熱し、大熱量で冷熱室を冷却するモードで運転する場合の構成図である。
【図２】本発明の第１の実施の形態の説明に適用される、小熱量で温冷熱室を冷却し、小熱量で冷熱室を冷却するモードで運転する場合の構成図である。
【図３】本発明の第１の実施の形態の説明に適用される、大熱量で温冷熱室を加熱し、小熱量で冷熱室を冷却するモードで運転する場合の構成図である。
【図４】本発明の第１の実施の形態の説明に適用される、大熱量で温冷熱室を加熱し、大熱量で冷熱室を冷却するモードで運転する場合の構成図である。
【図５】本発明の第１の実施の形態の説明に適用される、温冷熱室は冷加熱を行わず、大熱量で冷熱室を冷却するモードで運転する場合の構成図である。
【図６】本発明の第１の実施の形態の説明に適用される、大熱量で温冷熱室を加熱し、冷熱室の冷却を行わないモードで運転する場合の構成図である。
【図７】本発明の第２の実施の実施の形態の説明に適用される、温冷熱室を小熱量で加熱し、冷熱室を大熱量で冷却するモードで運転する場合の構成図である。
【図８】本発明の第２の実施の実施の形態の説明に適用される、温冷熱室を大熱量で冷却し、冷熱室を大熱量で冷却するモードで運転する場合の構成図である。
【図９】本発明の第２の実施の実施の形態の説明に適用される、温冷熱室を加冷却せず、冷熱室を大熱量で冷却するモードで運転する場合の構成図である。
【図１０】本発明の第２の実施の実施の形態の説明に適用される、温冷熱室を大熱量で加熱し、冷熱室を大熱量で冷却するモードで運転する場合の構成図である。
【図１１】本発明の第２の実施の実施の形態の説明に適用される、温冷熱室を大熱量で加熱し、冷熱室を冷却しないモードで運転する場合の構成図である。
【符号の説明】
５，６  仕切壁
８（１２）  マルチルーム（温冷熱室）
９（１３）  冷蔵室（冷熱室）
１０（１３）  冷凍室（冷熱室）
１１（１３）  野菜室（冷熱室）
１２（１３）  温冷熱室（冷熱室）
２０  圧縮機
２１  第３熱交換器
２２  第１膨張弁
２３  第２膨張弁
２４  第１熱交換器
２５  第３膨張弁
２６  第２熱交換器
３０  第１バルブ
３１  第２バルブ
３２  第３バルブ
３３  第４バルブ
Ｐ１〜Ｐ６  分岐点
【図１】
2004278977.tif 000003
【図２】
2004278977.tif 000004
【図３】
2004278977.tif 000005
【図４】
2004278977.tif 000006
【図５】
2004278977.tif 000007
【図６】
2004278977.tif 000008
【図７】
2004278977.tif 000009
【図８】
2004278977.tif 000010
【図９】
2004278977.tif 000011
【図１０】
2004278977.tif 000012
【図１１】
2004278977.tif 000013